(57)【要約】【課題】衣服等に付着したゴミを簡単に取り除くことができると共に、携帯に便利であり、かつ、使用済みの粘着シートを１枚ずつ剥がしやすい粘着式ゴミ取りシートの提供。【解決手段】一方の面が剥離面１３とされた表紙１０と、基材２１とその片面側に粘着剤層２３を有する裏表紙２０と、一方の面が剥離面３４とされたシート材３２と他方の面に粘着剤層３３を有する複数の粘着シート３１が、粘着剤層３３と剥離面３４とが接するように積層された粘着シート積層体３０とを備え、裏表紙２０は、粘着剤層２３と、粘着シート積層体３０の露出した剥離面３４とが接し、複数の粘着シート３１は、各々シート材３２の他方の面の一の周辺３２ｃ側が非粘着部３２ａとされ、各粘着シート３１における非粘着部３２ａの少なくとも一部が露出するように、各粘着シート３１の非粘着部３２ａが設けられた側の周辺３２ｃをずらして積層されている粘着式ゴミ取りシート１。【選択図】図２
0003160823.tif 000002
【実用新案登録請求の範囲】
【請求項１】
略四辺形で一方の面が剥離面とされた表紙と、
略四辺形の基材と該基材の片面側に設けられた粘着剤層を有する裏表紙と、
略四辺形で一方の面が剥離面とされたシート材と該シート材の他方の面に設けられた粘着剤層を有する複数の粘着シートが、互いの粘着剤層と剥離面とが接するように積層された粘着シート積層体とを備え、
前記表紙は、該表紙における剥離面が、前記粘着シート積層体の露出した粘着剤層に接するように配置され、
前記裏表紙は、該裏表紙における粘着剤層と、前記粘着シート積層体の露出した剥離面とが接するように配置され、
前記複数の粘着シートは、各々シート材の他方の面の一の周辺側が非粘着部とされ、各粘着シートにおける前記非粘着部の少なくとも一部が露出するように、各粘着シートの前記非粘着部が設けられた側の周辺をずらして積層されていることを特徴とする粘着式ゴミ取りシート。
【考案の詳細な説明】
【技術分野】
【０００１】
本考案は、粘着式ゴミ取りシートに関する。
【背景技術】
【０００２】
外出先で、衣服に付着した埃や糸屑等の小さなゴミを簡単に取り除きたいという要求がある。
この要求に対しては、従来、衣服用ブラシ、粘着シートのロール体を回転させながら粘着シートにゴミを付着させるロール型粘着式ゴミ取り具などが用いられている。
しかし、衣服用ブラシは、続けて使用していると、いったん衣服から除去されてブラシに移ったゴミが衣服に再付着しやすい問題がある。
ロール型粘着式ゴミ取り具は、粘着シートにゴミが付着し、続けて使用していても、いったん粘着シートに付着したゴミは衣服に再付着しにくいものの、ポケットやバッグ等に入れて持ち歩くにはサイズが大きすぎて、携帯には不便である。
【０００３】
これに対して、携帯に便利な粘着式ゴミ取り具として、シート本体の片面全面に粘着剤が塗布された片面粘着シートを所要枚数重ね、一番下側の片面粘着シートの粘着面に剥離紙を貼着してなる簡易ゴミ取り具が提案されている（特許文献１参照）。
また、表紙と裏表紙との間に、互いに全面で重なり合う複数の粘着シートを備え、該粘着シートの表紙側の面の一の周辺側に一部粘着剤を塗っていないつまみ部分が設けられ、裏表紙に該粘着シートが装着され、表紙の裏面に蝋紙が設けられた、手帖型洋服粘着ゴミ取り器が提案されている（特許文献２参照）。
いずれの粘着式ゴミ取り具も、使用済みの粘着シートを１枚ずつ剥がして廃棄し、新しい粘着シートを順次使用できるようになっている。
【先行技術文献】
【特許文献】
【０００４】
【特許文献１】実用新案登録第３０２８９９３号公報
【特許文献２】特開２０００−３００５０６号公報
【考案の概要】
【考案が解決しようとする課題】
【０００５】
しかし、特許文献１に記載された簡易ゴミ取り具においては、片面粘着シートの片面全面に粘着剤が塗布されているため、爪を使わないと、片面粘着シートを１枚ずつ剥がしにくい問題がある。
特許文献２に記載された手帖型洋服粘着ゴミ取り器においては、粘着シート同士が全面で重なり合っているため、使用済みの粘着シートを剥がす際、その粘着シート１枚だけをつまみにくく、同時に複数枚の粘着シートを剥がしてしまう問題がある。
本考案は、上記事情を鑑みてなされたものであり、衣服等に付着したゴミを簡単に取り除くことができると共に、携帯に便利であり、かつ、使用済みの粘着シートを１枚ずつ剥がしやすい粘着式ゴミ取りシートを提供することを課題とする。
【課題を解決するための手段】
【０００６】
上記の課題を解決するため、本考案は以下の構成を採用した。
すなわち、本考案の粘着式ゴミ取りシートは、略四辺形で一方の面が剥離面とされた表紙と、略四辺形の基材と該基材の片面側に設けられた粘着剤層を有する裏表紙と、略四辺形で一方の面が剥離面とされたシート材と該シート材の他方の面に設けられた粘着剤層を有する複数の粘着シートが、互いの粘着剤層と剥離面とが接するように積層された粘着シート積層体とを備え、前記表紙は、該表紙における剥離面が、前記粘着シート積層体の露出した粘着剤層に接するように配置され、前記裏表紙は、該裏表紙における粘着剤層と、前記粘着シート積層体の露出した剥離面とが接するように配置され、前記複数の粘着シートは、各々シート材の他方の面の一の周辺側が非粘着部とされ、各粘着シートにおける前記非粘着部の少なくとも一部が露出するように、各粘着シートの前記非粘着部が設けられた側の周辺をずらして積層されていることを特徴とする。
【考案の効果】
【０００７】
本考案の粘着式ゴミ取りシートは、衣服等に付着したゴミを簡単に取り除くことができると共に、携帯に便利であり、かつ、使用済みの粘着シートを１枚ずつ剥がすことが容易である。
【図面の簡単な説明】
【０００８】
【図１】本考案の粘着式ゴミ取りシート（表紙を開いた状態）の一実施形態を示す平面図である。
【図２】図２（ａ）は図１のＡ−Ａ’線に沿う断面図であり、図２（ｂ）は図２（ａ）における粘着シートを示す断面図である。
【図３】図１と同じ実施形態の粘着式ゴミ取りシートの表紙を閉じた状態を示す斜視図である。
【図４】図１と同じ実施形態の粘着式ゴミ取りシートの使用方法の説明図である。
【考案を実施するための形態】
【０００９】
図１〜３に、本考案の粘着式ゴミ取りシートの一実施形態を示す。
図１と図２（ａ）は、粘着式ゴミ取りシートの表紙を開いた状態を示す図であり、図２（ｂ）は１枚の粘着シートを示す図である。尚、図２（ａ）、（ｂ）では、説明の便宜上、厚さ方向を強調している。
図３は、図１と同じ実施形態の粘着式ゴミ取りシートの表紙を閉じた状態を示す図である。
本実施形態の粘着式ゴミ取りシート１は、表紙１０と、裏表紙２０と、複数の粘着シート３１が積層された粘着シート積層体３０とを備えている。
図１、図２（ａ）、図３においては、粘着シート積層体３０は、３枚の粘着シート３１が積層されたものを例として示している。
【００１０】
各粘着シート３１は、略四辺形で一方の面が離型性のある剥離面３４とされたシート材３２と、シート材３２の他方の面に設けられた粘着剤層３３を有している。
粘着剤層３３の厚さは１０〜５０μｍであることが好ましく、２０〜３０μｍであることがより好ましい。粘着剤層３３の厚さが下限値以上であれば、充分な粘着強度が得られる。一方、上限値以下であれば、シート材３２を衣服に押し当てた際、粘着剤層３３と衣服との間の粘着力が強すぎず、シート材３２を衣服から離す際、シート材３２が破れにくくなる。また、糊残りもしにくい。
また、各粘着シート３１は、粘着剤層３３側の一の周辺３２ｃに沿った矩形の領域が非粘着部３２ａとされ、残部が粘着部３２ｂとされている。粘着部３２ｂには、粘着剤層３３が設けられており、非粘着部３２ａには、粘着剤層３３が設けられていない。
非粘着部３２ａの幅（周辺３２ｃと粘着剤層３３との間の距離）は、粘着シート３１を指でつまむことができる程度の幅があればよく、５〜１５ｍｍであることが好ましく、７〜１０ｍｍであることがより好ましい。
非粘着部３２ａの幅が下限値以上であれば、粘着シート３１を１枚ずつ指で容易につまむことができる。一方、上限値以下であれば、ゴミが付く粘着部３２ｂの面積が充分に確保される。
【００１１】
各粘着シート３１は、互いの粘着剤層３３と剥離面３４とが接するように積層されている。
また、各粘着シート３１は、非粘着部３２ａの少なくとも一部が露出するように、各粘着シート３１の非粘着部３２ａが設けられた側の周辺３２ｃをずらして積層されている。
ここで「非粘着部３２ａの少なくとも一部が露出する」とは、粘着シート積層体３０の露出した粘着剤層３３（粘着シート積層体における最表層の粘着シートの粘着剤層）側から、全ての粘着シート３１における非粘着部３２ａの少なくとも一部を視認できることを意味する。
周辺３２ｃをずらす幅は１〜５ｍｍであることが好ましく、２〜３ｍｍであることがより好ましい。周辺３２ｃをずらす幅が下限値以上であれば、粘着シート３１を１枚ずつ充分につまむことができる。一方、上限値以下であれば、ゴミが付く粘着部３２ｂの面積をより広くできる。
各粘着シート３１は、非粘着部３２ａが設けられた側の周辺３２ｃを互いに略平行にずらして積層されている。一方、周辺３２ｃに対向する周辺３２ｄが互いに揃うように積層されている。そのため、各粘着シート３１のＡ−Ａ’線方向の長さは、裏表紙２０から離れるほど短くなっている。
【００１２】
表紙１０は、略四辺形の表基材１１と、表基材１１の片面１１ｓに設けられたシート材１２を有し、シート材１２と、粘着シート積層体３０の露出した粘着剤層３３（粘着シート積層体における最表層の粘着シートの粘着剤層）とが接するように配置されている。
シート材１２は、略四辺形で一方の面が剥離面１３とされ、表紙１０を閉じた際、剥離面１３が粘着剤層３３（粘着シート積層体における最表層の粘着シートの粘着剤層）と接するように、片面１１ｓに接着剤で貼り合わされている。
【００１３】
裏表紙２０は、略四辺形の裏基材２１と、裏基材２１の片面２１ｓに設けられた片面粘着シート２４を有し、片面粘着シート２４と、粘着シート積層体３０の露出した剥離面３４（粘着シート積層体において最も裏表紙側の粘着シートの剥離面）とが接するように配置されている。
片面粘着シート２４は、略四辺形のシート材２２と、シート材２２の一方の面に設けられた粘着剤層２３から構成され、粘着剤層２３の全面が剥離面３４（粘着シート積層体において最も裏表紙側の粘着シートの剥離面）と接するように、片面２１ｓに接着剤で貼り合わされている。
【００１４】
シート材３２としては、基紙の一方の面に離型剤を塗布したもの、離型性を有する樹脂フィルム、基紙の一方の面に離型性を有するフィルムを積層したもの等を使用できる。
基紙の一方の面に離型剤を塗布したものを用いる場合は、必要に応じて目止め層を形成した上で離型剤を塗布してもよい。基紙としては、上質紙、クラフト紙、グラシン紙等が挙げられる。離型剤としては、シリコーン系の離型剤等が挙げられる。離型剤の塗工量は、乾燥質量で０．５〜１．０ｇ／ｍ２であることが好ましい。
離型性を有する樹脂フィルムとしては、ポリプロピレンフィルム、ポリエチレンテレフタレートフィルム等が挙げられる。樹脂フィルムは、シリコーン系の離型剤等により離型処理が施されていてもよい。
シート材３２の厚さは３０〜１００μｍであることが好ましく、５０〜７０μｍであることがより好ましい。シート材３２の厚さが下限値以上であれば、充分な強度を有するシート材となる。但し、該厚さが厚すぎると、粘着シート３１の積層枚数が制限される。
シート材１２としては、シート材３２と同様のものが使用できる。
シート材２２としては、シート材３２と同じものを使用してもよく、上記基紙をそのまま使用してもよい。
【００１５】
粘着剤層２３、粘着剤層３３には、ゴム系、アクリル系、ウレタン系、ビニルエーテル系等の粘着剤を使用できる。これらの中でも、耐候性、透明性等に優れることから、アクリル系粘着剤が好ましく、アクリル系粘着剤としては、エマルジョン型、溶剤型、ホットメルト型等があり、本考案においては、いずれの型のものも使用できる。
各粘着剤層には、必要に応じて他の任意成分を含有してもよい。他の任意成分としては、タッキファイヤー、粘着性微球体、増粘剤、ｐＨ調整剤、消泡剤、防腐防黴剤、顔料、無機充填剤、安定剤、濡れ剤、湿潤剤等が挙げられる。
【００１６】
本実施形態の粘着式ゴミ取りシート１においては、表基材１１と裏基材２１が１枚のシート状基材から形成されている。すなわち、該シート状基材の長手方向中央に折り曲げ線が設けられ、その折り曲げ線を境界として一方の側が表基材１１、他方の側が裏基材２１とされている。
表基材１１、裏基材２１としては、上質紙、コート紙、キャストコート紙、アート紙等を使用できる。
表基材１１、裏基材２１の厚さは、それぞれ１３０〜２５０μｍであることが好ましく、１６０〜２００μｍであることがより好ましい。これらの基材の厚さが下限値以上であれば、粘着シート積層体３０をより安定に支持できる。但し、これらの基材の厚さが厚すぎると、粘着式ゴミ取りシート１全体が厚くなりすぎて好ましくない。
【００１７】
図１に示す状態で、粘着式ゴミ取りシート１の大きさは、Ａ−Ａ’線方向の長さが１５５〜１７０ｍｍであることが好ましく、１６０〜１６８ｍｍであることがより好ましく、Ａ−Ａ’線と直交する方向の長さが５０〜７０ｍｍであることが好ましく、５５〜６５ｍｍであることがより好ましい。
各長さが下限値以上であれば、ゴミが付く粘着部３２ｂの面積が充分に確保される。一方、上限値以下であれば、携帯により便利な大きさとなる。
図３のように、表紙１０を閉じた状態としたときの粘着式ゴミ取りシート１全体の厚さは０．６〜１．５ｍｍであることが好ましく、０．８〜１．２ｍｍであることがより好ましい。該厚さが上限値以下であれば、携帯により便利な大きさとなる。但し、該厚さが薄すぎると、表基材１１と裏基材２１の厚さが確保できない。また、粘着シート３１の積層枚数が制限される。
特に、図１に示す状態でＡ−Ａ’線方向の長さが１６８ｍｍ、Ａ−Ａ’線と直交する方向の長さが６３ｍｍ、厚さが１ｍｍの粘着式ゴミ取りシート１は、図３に示すように表紙を閉じた状態で、財布のカード入れ部に入れることができるため好ましい。
【００１８】
本実施形態の粘着式ゴミ取りシート１を用いて衣服等に付着したゴミを取り除く際、表紙１０を開いて、粘着シート積層体３０の露出した粘着剤層３３を、衣服等のゴミが付着している部位に押し当てながら用いる。そして、使用済みの粘着シート３１は、その粘着シート３１の非粘着部３２ａを指でつまんで剥がして廃棄すればよい（図４参照）。また、この使用方法とは別に、初めに、粘着シート３１を１枚剥がして用いてもよい。
粘着シート３１を全て剥離した後は、裏表紙２０の露出した粘着剤層２３を使用してゴミを取り除くことができる。
【００１９】
本実施形態の粘着式ゴミ取りシート１によれば、表紙１０を開いて粘着シート積層体３０の露出した粘着剤層３３を、衣服等のゴミが付着している部位に押し当てるだけで、衣服等に付着したゴミを簡単に取り除くことができる。また、粘着剤層３３を衣服に繰り返し押し当てても、いったん粘着剤層３３に付着したゴミが衣服に再付着しにくい。
また、本実施形態の粘着式ゴミ取りシート１は、携帯に便利であり、ポケットやバッグ等に入れて持ち歩くのに適している。
【００２０】
また、粘着式ゴミ取りシート１においては、周辺３２ｃが隣接する粘着シート３１と粘着していないため、非粘着部３２ａをつまむことができる。さらに、粘着シート３１が互いにずれているので、非粘着部３２ａをつまみしろとして粘着シート３１を１枚ずつ指でつまみやすくなっている。そのため、粘着式ゴミ取りシート１は、粘着シート３１を剥がす際、従来のように爪を使ったり、同時に複数枚の粘着シートを剥がしてしまったりすることが無く、粘着シート３１を１枚ずつ剥がすのが容易である。
【００２１】
本考案の粘着式ゴミ取りシートは、図１〜４に示す実施形態に限らず、表紙だけを剥がすことができるように、表紙と裏表紙が別々のシート状基材から形成されていてもよい。
また、本実施形態の粘着式ゴミ取りシート１の表紙１０は、一方の面が剥離面１３とされたシート材１２を設けずに表基材１１のみであってもよい。その場合、シート材１２と同様にして表基材１１に剥離面を設けることができる。また、裏表紙２０は、裏基材２１の片面２１ｓ側に片面粘着シート２４を設けずに直接粘着剤層２３を設けたものであってもよい。
また、本実施形態の粘着式ゴミ取りシート１の非粘着部３２ａは、シート材３２の他方の面全体に粘着剤を塗布した後で非粘着処理（糊殺し）を施した領域であってもよい。
【符号の説明】
【００２２】
１  粘着式ゴミ取りシート、１０  表紙、１１  表基材、１２  シート材、１３  剥離面、２０  裏表紙、２１  裏基材、２２  シート材、２３  粘着剤層、３０  粘着シート積層体、３１  粘着シート、３２  シート材、３２ａ  非粘着部、３２ｂ  粘着部、３２ｃ  周辺、３３  粘着剤層、３４  剥離面
【図１】
0003160823.tif 000003
【図２】
0003160823.tif 000004
【図３】
0003160823.tif 000005
【図４】
0003160823.tif 000006